(57)【要約】【課題】  ３ＧネットワークからＬＴＥネットワーク内の移動体端末に輻輳情報を伝えるための機構を提供する。【解決手段】例えばＬＴＥネットワークのようなパケット交換ネットワークに回路交換ネットワークの輻輳状況を示すために、輻輳表示が導入される。輻輳表示は、回路交換ネットワーク内のインターワーキング機能からＬＴＥネットワークへ送信される。輻輳表示及び／又は他の輻輳情報は、別の方法で送信される回路サービス信号メッセージと共に送信される。他の回路サービス信号メッセージに輻輳情報をピギーバックすることにより、ＬＴＥネットワーク上の信号伝達量が減少する。【選択図】  図１
2013517655.tif 000002
【特許請求の範囲】
【請求項１】
回路交換ネットワークとパケット交換ネットワークとの間で信号メッセージを送るためのインターワーキング機能により実施される信号伝達方法であって、
前記インターワーキング機能で、前記回路交換ネットワーク内の移動通信交換局からの回路サービス信号メッセージを受け取ることと、
前記インターワーキング機能により、前記パケット交換ネットワーク内の移動体端末に前記回路サービス信号メッセージを送ることと、
前記インターワーキング機能により、前記回路サービス信号メッセージと共に、前記パケット交換ネットワークに前記回路交換ネットワークの輻輳状況を示す輻輳表示を送ることと、
を備える方法。
【請求項２】
前記回路交換ネットワーク内のインターワーキング機能から前記パケット交換ネットワーク内の前記移動体端末に回路サービス信号メッセージを送ることは、前記インターワーキング機能と前記パケット交換ネットワーク内のMME（mobility management entity）との間のトンネルを通じて前記回路サービス信号メッセージを送ることを備える、請求項１に記載の方法。
【請求項３】
前記インターワーキング機能と前記パケット交換ネットワーク内のMMEとの間のトンネルを通じて前記回路サービス信号メッセージを送ることは、
１以上のトンネリングパケット内に前記回路サービス信号メッセージをカプセル化することと、
前記トンネルを通じて前記ＭＭＥに前記トンネリングパケットを送ることと、を備える請求項２に記載の方法。
【請求項４】
前記回路交換ネットワークの輻輳状況を示す輻輳表示を送ることは、前記トンネリングパケットのうちの少なくとも１つ内で前記輻輳表示を送ることを備える、請求項３に記載の方法。
【請求項５】
前記回路サービス信号メッセージと共に、前記回路交換ネットワークから前記パケット交換ネットワークにパーシステンスパラメータを送ることをさらに備える、請求項１に記載の方法。
【請求項６】
パケット交換ネットワーク内のノードに輻輳状況についての信号伝達を行うための回路交換ネットワーク内のインターワーキング機能であって、前記インターワーキング機能は、
前記インターワーキング機能と、前記回路交換ネットワークと前記パケット交換ネットワークとを接続するインタフェース回路と、
インターワーキングプロセッサと、を備え、
前記インターワーキングプロセッサは、
前記回路交換ネットワーク内の移動通信交換局からの回路サービス信号メッセージを受信し、
前記パケット交換ネットワーク内の移動体端末に前記回路サービス信号メッセージを送り、
前記回路サービス信号メッセージと共に、前記パケット交換ネットワークに前記回路交換ネットワークの輻輳状況を示す輻輳表示を送るよう構成される、インターワーキング機能。
【請求項７】
前記インターワーキングプロセッサは、前記インターワーキング機能と前記パケット交換ネットワーク内のMMEとの間のトンネルを通じて前記回路サービス信号メッセージを送るよう構成される、請求項６に記載のインターワーキング機能。
【請求項８】
前記インターワーキングプロセッサは、
１以上のトンネリングパケット内に前記回路サービス信号メッセージをカプセル化し、
前記トンネルを通じて前記ＭＭＥに前記トンネリングパケットを送るよう構成される、請求項７に記載のインターワーキング機能。
【請求項９】
前記インターワーキングプロセッサは、前記トンネリングパケットのうちの少なくとも１つ内で前記輻輳表示を送るよう構成される、請求項８に記載のインターワーキング機能。
【請求項１０】
前記インターワーキングプロセッサは、前記回路サービス信号メッセージと共に、前記回路交換ネットワークから前記パケット交換ネットワークにパーシステンスパラメータを送るよう構成される、請求項６に記載のインターワーキング機能。
【請求項１１】
パケット交換ネットワーク内の移動体端末による回路交換ネットワークへのアクセスを制御する方法であって、
前記回路交換ネットワークから前記回路交換ネットワーク内の輻輳状況を示す輻輳表示を受け取ることと、
次に前記回路交換ネットワークへのアクセスを試みようとする前記パケット交換ネットワーク内の移動体端末からのアクセスメッセージを受け取ることと、
前記回路交換ネットワークが輻輳状態にあることを前記輻輳表示が示す際に、前記アクセスメッセージに応答して、前記移動体端末にパーシステンスパラメータを送ることと、を備える方法。
【請求項１２】
前記輻輳表示と共に前記回路交換ネットワークから前記パーシステンスパラメータを受け取ることをさらに備える、請求項１１に記載の方法。
【請求項１３】
前記回路交換ネットワークから前記回路交換ネットワーク内の輻輳を示す輻輳表示を受け取ることは、前記回路交換ネットワーク内のインターワーキング機能から前記輻輳表示を受け取ることを備える、請求項１１に記載の方法。
【請求項１４】
前記回路交換ネットワークへのアクセスを試みようとする前記パケット交換ネットワーク内の移動体端末からのアクセスメッセージを受け取ることは、前記移動体端末から拡張サービス要求メッセージを受け取ることを備える、請求項１１に記載の方法。
【請求項１５】
前記回路交換ネットワークが輻輳状態にあることを前記輻輳表示が示す際に、前記メッセージに応答して、前記移動体端末にパーシステンスパラメータを送ることは、前記拡張サービス要求メッセージに応答して前記パーシステンスパラメータを送ることを備える、請求項１４に記載の方法。
【請求項１６】
前記拡張サービス要求メッセージに応答して前記パーシステンスパラメータを送ることは、１以上の回路サービスパラメータと共に前記パーシステンスパラメータを送ることを備える、請求項１５に記載の方法。
【請求項１７】
パケット交換ネットワーク内の移動体端末と回路交換ネットワーク内のインターワーキング機能との間のパス内に位置するパケット交換ネットワーク内のネットワークノードであって、前記ネットワークノードは、
前記ネットワークノードと前記パケット交換ネットワークとを接続するためのインタフェース回路と、
輻輳コントローラと、を備え、
前記輻輳コントローラは、
前記回路交換ネットワーク内の輻輳状況を示す輻輳表示を受信し、
次に前記回路交換ネットワークへのアクセスを試みようとする前記パケット交換ネットワーク内の移動体端末からのアクセスメッセージを受信し、
前記回路交換ネットワークが輻輳状態にあることを前記輻輳表示が示す際に、前記アクセスメッセージに応答して、前記移動体端末にパーシステンスパラメータを送るよう構成される、ネットワークノード。
【請求項１８】
前記輻輳コントローラはさらに、前記回路交換ネットワークから前記パーシステンスパラメータを受け取るよう構成される、請求項１７に記載のネットワークノード。
【請求項１９】
前記輻輳コントローラは、前記回路交換ネットワーク内の前記インターワーキング機能から前記輻輳表示を受け取るよう構成される、請求項１７に記載のネットワークノード。
【請求項２０】
前記輻輳コントローラは、前記移動体端末からの拡張サービス要求メッセージに応答して前記パーシステンスパラメータを送るよう構成される、請求項１７に記載のネットワークノード。
【請求項２１】
前記輻輳コントローラは、前記拡張サービス要求メッセージに応答して前記パーシステンスパラメータを送るよう構成される、請求項２０に記載のネットワークノード。
【請求項２２】
前記輻輳コントローラは、１以上の回路サービスパラメータと共に、前記パーシステンスパラメータを送るよう構成される、請求項２１に記載のネットワークノード。
【発明の詳細な説明】
【技術分野】
【０００１】
（関連出願）
本出願は、参照により本明細書に組み込まれた、２０１０年１月１５日出願の米国仮特許出願第６１／２９５，２７１号に対する優先権を主張するものである
【背景技術】
【０００２】
過去、移動体通信システムは主に、音声サービスを提供するには回路交換ネットワークを使用し、高速データサービスを提供するにはパケット交換ネットワークを使用してきた。回路交換ネットワークでは、各音声又はデータ呼に専用チャンネルを割り当てている。パケット交換ネットワークでは、共用ネットワーク資源上のパケットでデータを送信している。概して、パケット交換ネットワークは通常、回路交換ネットワークと比較すると、帯域効率がよく、回路交換ネットワークは通常、より高品質のサービス保証を提供する。第３世代（３Ｇ）標準により、パケット交換ネットワークと回路交換ネットワークとが一体化され、音声とデータの両方のサービスが提供されることとなった。
【０００３】
ロングタームエボリューション（ＬＴＥ）として知られている、開発中の第４世代（４Ｇ）標準は、音声サービスを本来サポートしていないパケット交換ネットワークである。ＬＴＥネットワークにおいて音声通信を提供するために、多くの提案が検討されている。しかしながら、現時点で当初展開されるＬＴＥシステムが音声通信をサポートするかどうかは不確定である。当初の展開において音声通信がサポートされない場合、サービスプロバイダーは、既存の回路交換ネットワークを利用して音声サービスを提供することが可能である。初期のＬＴＥシステムが音声通信をサポートしている場合であっても、サービスプロバイダーは、徐々にＬＴＥシステムを段階的に導入し、ＬＴＥネットワークがサービスを提供していないエリアにおいて、サービスを提供するのに既存の３Ｇネットワークを使用する可能性がある。従って、ＬＴＥと既存の回路交換ネットワークとの間のインターワーキングを可能にするために、インターワーキングプロトコルが必要である。
【０００４】
３ＧとＬＴＥネットワークとの間のインターワーキングを可能にし、サービスプロバイダーが既存のネットワークを利用しつつ徐々にＬＴＥネットワークを段階的に導入できるようにするための、幾つかの提案が検討されている。インターワーキングの１つの方法は、単一無線音声通信継続（ＳＲＶＣＣ）として知られている。ＳＲＶＣＣ方式によると、ＬＴＥのサービスが利用できない場合に、ＬＴＥ音声呼を３Ｇネットワークにハンドオーバできる。ＳＲＶＣＣ方式については、３ＧＰＰ  ＴＳ．２３．２１６に記載されている。別のインターワーキング方法として、サーキッドスイッチフォールバック（ＣＳＦＢ）が知られている。ＣＳＦＢは、サービスプロバイダーが既存の回路交換ネットワークを用いてＬＴＥユーザに音声サービスを提供可能とするインターワーキング機構である。モバイルユーザは、ＬＥＴネットワークに接続した後、回路交換ネットワークに登録可能である。音声通信をする際、ユーザは、ＬＴＥネットワークから、音声サービスを提供している３Ｇネットワークにリダイレクトされる。
【０００５】
３Ｇネットワークでは、輻輳を制御するために輻輳制御機構が使用される場合がある。輻輳制御機構の目的は、ネットワークが過負荷の際に、モバイル受信及びモバイル発信の呼の数を減らすことである。輻輳制御機構では、パーシステンスパラメータ（persistence parameter）が使用され、ダウンリンクブロードキャストチャンネル上の移動体端末に送信される。パーシステンスパラメータは、移動体端末がネットワークにアクセスしようと試みる可能性を判断するものである。移動体端末は通常、パーシステンスパラメータを用いてランダムチェックを行う。移動体端末がこのランダムチェックを通過すると、移動体端末のネットワークへのアクセスが可能となる。パーシステンスパラメータは、３Ｇネットワーク内で送信されるため、ＬＴＥネットワークで動作している移動体端末は、パーシステンスパラメータを受信しない場合がある。従って、ＬＴＥネットワーク内の移動体端末には、３Ｇネットワークがいつ輻輳状態にあるかがわからない。
【０００６】
ＬＴＥ送信チャンネル上でパーシステンスパラメータを送信することが提案されている。３Ｇシステムで過負荷があることをオペレータが検出した際、オペレータは、ＬＴＥ内のパーシステンスパラメータを更新して、サーキットスイッチフォールバックの試行の数をある期間減少または停止することが可能である。３Ｇシステムと同様に、移動体端末は、パーシステンスパラメータを読み、サーキットスイッチフォールバックを試行する前に、ランダムチェックを行うであろう。従って、ＬＴＥ無線インタフェース上でのサーキットスイッチフォールバックの試みが失敗したことによる信号伝達負荷が回避される。
【０００７】
他の提案として、移動体端末がサーキットスイッチフォールバックを試行した後、ＬＴＥ送信チャンネルにより、移動体通信に輻輳情報を伝達することである。移動体通信がサーキットスイッチフォールバックを試行する際、移動体端末は、３Ｇネットワーク内の移動通信交換局に回路交換メッセージを送る。インターワーキング機能は、この信号メッセージを受理または拒否する場合がある。いずれにしても、インターワーキング機能により、信号メッセージへの応答内で輻輳状況を示すことが可能である。
【０００８】
輻輳管理について提案されているこれらの解決策は、完全に満足できるものではない。最初の提案の問題点は、３Ｇネットワークの輻輳状況をＬＴＥネットワークで知らせるための標準的な機構がないことである。ベンダが３ＧネットワークからＬＴＥネットワークに輻輳情報を伝える動作内の独自に開発したプロトコルや管理システムを実施する場合があるかもしれないが、このような場合、このようなベンダーの設備は、他のベンダーの施設では相互運用できないであろう。さらに、輻輳状況は動的な性質を持つため、独自開発のシステムによって輻輳情報を動的に更新する必要性がある。従来の動作及び管理システムは通常、動的機能性を提供するよう設計されていない。
【０００９】
２番目の提案の問題点は、３Ｇネットワークの輻輳状況が、移動体端末がサーキットスイッチフォールバックを試行した後にのみわかることである。サーキットスイッチフォールバックの試行が３Ｇネットワークの輻輳により失敗した場合には、ＬＴＥネットワーク上での不必要な信号伝達となってしまうであろう。
【００１０】
提案された方法はどちらも、輻輳情報を送信するのに、システム情報ブロック８を使用しようと考えている。システム情報ブロック８は、一般的なチャンネル情報要素である。ＬＴＥネットワーク内の送信チャンネルにより輻輳情報を継続的に送信すれば、他の目的に使用可能であった信号伝達帯域を消費することになるであろう。
【発明の概要】
【発明が解決しようとする課題】
【００１１】
従って、３ＧネットワークからＬＴＥネットワーク内の移動体端末に輻輳情報を伝えるための機構が必要である。
【課題を解決するための手段】
【００１２】
本発明は、ＬＴＥネットワーク内で動作する移動体端末に回路交換ネットワークの輻輳状況についての信号伝達を行う機構を提供する。回路交換ネットワークの輻輳状況を示すために、輻輳表示が導入される。パーシステンスパラメータ（ＰＳＩＳＴ）等の他の輻輳情報を輻輳表示と共に送信してもよい。輻輳表示は、回路交換ネットワーク内のインターワーキング機能からＬＴＥネットワークへ送信される。一実施態様において、輻輳表示及び／又は他の輻輳情報は、別の方法で送信される回路サービス信号メッセージと共に送信される。他の回路サービス信号に輻輳情報をピギーバックする（piggy-backing）ことにより、ＬＴＥネットワーク上の信号量が減少する。
【００１３】
本発明の幾つかの実施態様において、輻輳情報は、回路サービス通知メッセージを含むトンネリングパケットのヘッダ内で送信されてもよい。或いは、輻輳情報は、新しい又は変更された回路サービス信号メッセージ内の情報要素として送信されてもよい。他の実施態様において、輻輳情報は、回路サービス信号メッセージと同時に別のメッセージ内で送信されてもよい。他の方法を用いて、輻輳情報の送信を回路サービス信号メッセージの送信とリンクさせてもよい。
【００１４】
本発明の一実施態様は、回路交換ネットワークとパケット交換ネットワークとの間で信号メッセージを送るためのインターワーキング機能により実施される信号伝達方法を備える。この信号伝達方法は、インターワーキング機能で、回路交換ネットワーク内の移動通信交換局からの回路サービス信号メッセージを受け取ることと、インターワーキング機能により、パケット交換ネットワーク内の移動体端末に回路サービス信号メッセージを送ることと、インターワーキング機能により、回路サービス信号メッセージと共に、パケット交換ネットワークに回路交換ネットワークの輻輳状況を示す輻輳表示を送ることとを備える。
【図面の簡単な説明】
【００１５】
【図１】ハイブリッドネットワークの一例を示す図である。
【図２】ＬＴＥネットワーク内の移動体端末が３Ｇネットワークに登録できるようにする登録手順の一例を示す図である。
【図３】回路交換ネットワークとパケット交換ネットワークとの間で輻輳情報の信号を送信する方法の一例を示す図である。
【図４】パケット交換ネットワーク内の移動体端末に輻輳情報の信号を送信する方法の一例を示す図である。
【図５】モバイル受信呼手順の一例を示す図である。
【図６】モバイル発信呼手順の一例を示す図である。
【発明を実施するための形態】
【００１６】
図面を参照して、移動体端末１００に音声並びにデータサービスの双方を提供するハイブリッドネットワーク１０に照らして本発明を説明する。以下に示す例示的な実施態様において、ハイブリッドネットワーク１０は、回路交換サービス（例えば音声）用のｃｄｍａ２０００ネットワーク１２と高速データサービス用のＬＴＥネットワーク４とを組み合わせている。ｃｄｍａ２０００ネットワークは、１ｘＲＴＴネットワークを備える場合がある。幾つかの実施態様において、ｃｄｍａ２０００ネットワーク１２が回路交換サービスに加えてデータサービスも提供する場合があることは、当業者であれば理解されるであろう。実施態様の例は、単に例示的なものであり、当業者であれば、本発明が他のネットワーク標準に基づくネットワークで使用される場合があることを理解されるであろう。
【００１７】
ｃｄｍａ２０００ネットワーク１２は、回路交換コアネットワーク（ＣＳＣＮ）３０に接続するｃｄｍａ２０００無線アクセスネットワーク２０を備える。ｃｄｍａ２０００無線アクセスネットワーク２０は、このｃｄｍａ２０００無線アクセスネットワーク２０のサービスエリア内の移動体端末１００と通信するための１以上の基地局２２を備える。図１には単一の実体として示されているが、基地局２２は通常、ベーストランシーバ基地局（ＢＴＳ）と基地局制御装置（ＢＳＣ）を備え、これらは異なる箇所の異なるネットワークノードとして組み込まれる場合がある。ＢＴＳは、無線インタフェース（air interface）により移動体端末１００と通信するための無線機器を備え、ＢＳＣは、１以上のＢＴＳ用の無線資源制御及び管理機能を提供する。ＣＳＣＮ３０は、公衆電話交換回線網（ＰＳＴＮ）との接続を提供し、移動体端末１００へ及び移動体端末１００からの呼の交換をする移動通信交換局（ＭＳＣ）３２を備える。基地局２２は、ダウンリンクトラフィック及びＭＳＣ３２から移動体端末１００に信号を転送し、アップリンクトラフィック及び移動体端末１００からＭＳＣ３２への信号を転送する。
【００１８】
ＬＴＥネットワーク１４は、パケット交換コアネットワーク（ＰＳＣＮ）５０に接続するＬＴＥ無線アクセスネットワーク４０を備える。ＬＴＥ無線アクセスネットワーク４０は、このＬＴＥ無線アクセスネットワーク４０のサービスエリア内の移動体端末１００と通信するための１以上のアクセスネットワーク（ＡＮ）４２を備える。ＬＴＥ無線アクセスネットワーク４０は、Ｅ−ＵＴＲＡＮ（Evolved Universal Terrestrial Radio Access Network）とも称され、ＡＮ４２は、ｅＮｏｄｅＢ（Evolved NodeB）としても知られている。アクセスノードすなわちｅＮｏｄｅＢ４２は、ＢＴＳとＢＳＣの機能を単一のネットワークノード内に組み合わせている点を除いて、ｃｄｍａ２０００ネットワーク内の基地局２２と似ている。ＰＳＣＮ５０は、ＥＰＣ（Evolved Packed Core）としても知られ、ＳＧＷ（Serving Gateway）５２、ＰＧＷ（Packet Data Network Gateway）５４およびＭＭＥ（Mobility Management Entity）５６を備える。ＳＧＷ５２とＰＧＷ５４とは、インターネット等の外部パケットデータネットワーク（ＰＤＮ）への接続を提供する。ＳＧＷ５２は、ＰＳＣＮ５０をＬＴＥ無線アクセスネットワーク４０内のＡＮ４２に接続するユーザプレーンノードであり、セル間を移動する移動体端末１００のモビリティアンカーポイントとしての役割を果たす。ＰＧＷ５４は、ＰＳＣＮ５０をインターネット等の外部パケットデータネットワーク（ＰＤＮ）に接続するユーザプレーンノードである。ＭＭＥ５６は、移動性管理、課金等のＰＳＣＮ５０の制御機能を処理するコントロールプレーンノードである。
【００１９】
例示した実施態様において、ＬＴＥネットワーク１４内で動作する移動端末１００へ音声サービスを提供するのに、サーキットスイッチフォールバック（ＣＳＦＢ）が使用される。移動体端末１００がＬＴＥネットワーク１４に接続した後、移動体端末１００は、ｃｄｍａ２０００ネットワーク１２に登録する。ＣＳＦＢ手順により、ｃｄｍａ２０００ネットワーク１２とＬＴＥネットワーク１４上の移動体端末１００との間の回路サービス信号メッセージを送るための信号伝達チャンネルが提供される。信号伝達チャンネルは、着信音声呼やＳＭＳメッセージについて移動体端末１００に通知するために使用可能である。移動体端末１００は、サービスが重複しているエリア内でｃｄｍａ２０００ネットワーク１２にハンドオーバして、着信音声呼に応答したり、発信音声呼を作成したりすることができる。
【００２０】
ｃｄｍａ２００００ネットワーク１２では、輻輳制御機構を用いて、ｃｄｍａ２０００ネットワーク１２が過負荷の際に、移動体端末１００によるアクセスの試行数を制限する。輻輳制御機構の目的は、ｃｄｍａ２０００ネットワーク１２が過負荷の際に、モバイル受信及びモバイル発信呼の数を減らすことである。輻輳制御機構では、パーシステンスパラメータが使用され、ｃｄｍａ２０００基地局２２によってダウンリンクブロードキャストチャンネルにより送信される。パーシステンスパラメータは、移動体端末１００がランダムチェックにパスし、アクセス要求を送る可能性を判断するものである。このように、パーシステンスパラメータを用いて、移動体端末１００により行われるアクセス試行数を抑える。パーシステンスパラメータは、輻輳が増加すると移動体端末１００によるアクセス試行の可能性を減らすように、及び輻輳が減少すると移動体端末１００によるアクセス試行の可能性を増やすように、負荷の条件が変われば動的に調整可能である。
【００２１】
パーシステンスパラメータは、ｃｄｍａ２０００基地局２２により送信されるので、ＬＴＥネットワーク１４内で動作する移動体端末１００は、パーシステンスパラメータを受信しない。従って、ＬＴＥネットワーク１４内の移動体端末１００には、ｃｄｍａ２０００ネットワークがいつ輻輳状態にあるががわからない。本発明は、回路交換ネットワーク１２の輻輳状況をＬＴＥ基地局４２及び／又はＭＭＥ５６に信号で知らせる機構を提供することにより、この問題を解決している。
【００２２】
輻輳表示が、回路交換ネットワーク１２の輻輳状況を示すために導入される。輻輳表示は、インターワーキング機能３４からＳ１０２インタフェースによりＭＭＥ５６に送信され、ＭＭＥ５６からＳ１インタフェースによりＬＴＥ基地局４２に送信される。インターワーキング機能３４とＭＭＥ５６との間のＳ１０２インタフェースにより、ｃｄｍａ２０００ネットワーク１２からパケット交換ネットワーク１４へのメッセージを信号伝達する１ｘ回路サービス（１ｘＣＳ）を中継するためのトンネルが提供される。１ＸＣＳ信号メッセージは、３ＧＰＰ２  Ｓ０００８−Ｃ、「アクセスネットワークでのセッションコントロールを備えた、ＨＲＰＤ（high rate packet data）無線アクセスネットワークインタフェース用の相互運用仕様（ＩＯＳ）」に記載されるように、Ａ２１インタフェース用に規定されたメッセージである。Ｓ１０２インタフェースは、３ＧＰＰ  ＴＳ  ２９．２７７  ｖ．８．１．０（２００８−１２）「ＥＵＴＲＡＮアクセスと非３ＧＰＰアクセス（S１０２）との間の最適化ハンドオーバ手順及びプロトコル；ステージ３」に記載されている。
【００２３】
輻輳情報の送信は、回路サービス信号メッセージの送信とリンクしている。本発明の幾つかの実施態様において、輻輳情報は、回路サービス通知メッセージを含むＳ１０２トンネリングパケットのヘッダ内で送信される場合がある。あるいは、輻輳情報は、新しい又は変更された回路サービス信号メッセージ内の情報要素として送信される場合もある。さらに、１ＸＣＳメッセージセットは、１ＸＣＳイベント通知メッセージを含むことに留意されたい。輻輳表示は、回路交換ネットワークが輻輳状態にあることを示す新しいイベント値を規定することによって実施される場合がある。別の実施態様では、輻輳情報は、回路サービス信号メッセージと実質的に同時に（信号伝達シーケンス内で介在するメッセージを伴わずに）別途のメッセージ内で送信される場合がある。同様の方法を用いて、ＭＭＥ５６からＳ１インタフェースによりＬＴＥ基地局４２に輻輳表示を伝達可能である。
【００２４】
輻輳表示及び／又は他の輻輳情報（例えばパーシステンスパラメータ）は、ｃｄｍａ２０００ネットワーク１２が輻輳状態にある、又は、移動体端末のアクセス試行が失敗した場合に、インターワーキング機能３４からＭＭＥ５６に送信される場合がある。輻輳表示及び／又は他の輻輳情報は、将来のアクセス試行用又は新しい輻輳情報が受信されるまで有効となる。輻輳情報はまた、Ｓ１０２及びＳ１インタフェースにより他の信号伝達手順の間に送信される場合がある。例えば、輻輳情報は、ページング及び／又は登録手順の間にＭＭＥ５６及びＬＴＥ基地局４２に転送可能である。ＣＳＣＮ３０内で、ＯＡＭシステムを用いて、インターワーキング機能３４へ輻輳情報を伝える場合もある。
【００２５】
パケット交換ネットワーク内の移動体端末１００がＣＳＣＮ３０内のＭＳＣ３２に登録する手順を図２に示す。移動体端末１００は、ＴＳ  ２３．４０１に規定されるようにＥ−ＵＴＲＡＮに接続する（ａ）。移動体端末１００がＥ−ＵＴＲＡＮに接続した後に、移動体端末１００は、ｃｄｍａ２０００ネットワークに登録することを決定する（ｂ）。ｃｄｍａ２０００ネットワーク１２に登録する決定は、例えば、移動体端末１００が接続状態にある際にＥ−ＵＴＲＡＮからの表示によりトリガーされる場合がある。移動体端末１００が回路交換ネットワーク１２に登録しようとしたときにアイドル状態であるならば、移動体端末１００は、ＭＭＥ５６との信号伝達接続を作成するためのサービス要求手順を行う必要がある場合がある（ｃ）。ＭＭＥ５６との信号接続が確立したならば、移動体端末１００は、登録要求を生成し、インターワーキング機能３４にこの登録要求を送る（ｄ）。インターワーキング機能３４は、位置更新を行い（ｅ）、移動体端末１００に登録応答を送る（ｆ）。登録応答は、輻輳表示及び／又はパーシステンスパラメータ等の他の輻輳情報を備える場合がある。
【００２６】
輻輳情報をＭＭＥ５６に転送するためのインターワーキング機能３４により実施される手順１５０の例を図３に示す。手順１５０は、インターワーキング機能３４がｃｄｍａ２０００ネットワーク１２内のＭＳＣ３２から１ｘＣＳ信号メッセージを受信したときに始まる（ブロック１５２）。インターワーキング機能３４は、Ｓ１０２インタフェースによりＬＴＥネットワーク１４内の移動体端末１００に向けて１ｘＣＳ信号メッセージを中継する（ブロック１５４）。ＭＭＥ５６は、ＬＴＥ基地局４２に、Ｓ１インタフェースにより１ｘＣＳ信号メッセージをリレーし、１ｘＣＳ信号メッセージはさらに、移動体端末１００に送信される。輻輳状態を示すために、インターワーキング機能３４は、回路交換ネットワークの輻輳状況を示す輻輳表示を回路サービス信号メッセージと共に送る。輻輳情報を他の１ｘＣＳ信号メッセージの上にピギーバックすることにより、信号伝達オーバヘッド及び信号伝達の機会の数を減らしている。
【００２７】
移動体端末１００に輻輳情報を提供するためのＭＭＥ５６かＬＴＥ基地局４２のいずれかにより実施される手順１６０の例を図４に示す。手順は、ＬＴＥ基地局４２のＭＭＥ５６がｃｄｍａ２０００ネットワーク１２の輻輳状況を示す輻輳表示を受信したときに始まる（ブロック１６２）。先に述べたように、輻輳表示は、Ｓ１０２インタフェースによりインターワーキング機能３４からＭＭＥ５６が受信する。ＬＴＥ基地局４２は、Ｓ１インタフェースによりＭＭＥ５６から輻輳表示を受信する。ＭＭＥ５６及び／又はＬＴＥ基地局４２は、他の任意の提供された輻輳情報と共に輻輳表示を保存する。次に、ＬＴＥ基地局４２又はＭＭＥ５６は、ｃｄｍａ２０００ネットワーク１２へのアクセスを試行するＬＴＥネットワーク１４内の移動体端末１００からのアクセスメッセージを受信する（ブロック１６４）。アクセスメッセージに応答して、ＭＭＥ５６又はＬＴＥ基地局４２は、移動体端末１００に輻輳情報を送る（ブロック１６６）。一実施態様例において、ＭＭＥ５６又はＬＴＥ基地局４２は、移動体端末１００からの拡張サービス要求メッセージ（extended service request message）に応答して移動体端末１００にパーシステンスパラメータを送る。このシナリオでは、パーシステンスパラメータは、移動体端末１００がアクセス試行を継続又は中止する可能性を制御する。
【００２８】
本発明の一実施態様によるモバイル受信呼用のサーキットスイッチフォールバック手順の例を図５に示す。移動体端末１００は、ＬＴＥネットワーク１４に接続し、ｃｄｍａ２０００ネットワーク１２に登録する（ａ）。移動体端末１００に対する呼がなされたら、ＭＳＣ３２は、インターワーキング機能３４を介して移動体端末１００にページング要求を送る（ｂ）。インターワーキング機能３４は、このページング要求をＳ１０２インタフェースによりＭＭＥ５６に転送する（ｃ）。輻輳表示又はその他の輻輳情報は、ＩＷＦ３４からＭＭＥ５６にページング要求と共に送信される場合がある。次にＭＭＥ５６は、Ｓ１インタフェースによりＬＴＥ基地局４２にこのページング要求と任意の輻輳情報とを転送する（ｄ）。ＬＴＥ基地局４２は次に、このページング要求をダウンリンクにより移動体端末１００に送信する（ｅ）。
【００２９】
移動体端末１００が以前にＬＴＥ基地局４２からパーシステンスパラメータを受信している、又は、別の方法でパーシステンスパラメータを供給されていると仮定する。ページング要求が受信されたなら、移動体端末１００は、ランダムチェックを行う（ｆ）。移動体端末１００がランダムチェックに基づいて呼を受け入れると決定したならば、移動体端末１００は、ＭＭＥ５６に拡張サービス要求を送る（ｇ）。するとＭＭＥ５６は、ＵＥコンテクスト変更メッセージをサーキットスイッチフォールバック表示と共にＬＴＥ基地局４２に送り、ＬＴＥ基地局４２に対して、移動体端末１００をｃｄｍａ２０００ネットワーク１２にハンドオーバするように指示する（ｈ）。次にＬＴＥ基地局４２は、ＲＲＣ（radio resource control）接続リリースをトリガーし、移動体端末１００をｃｄｍａ２０００ネットワーク１２にリダイレクトする（ｉ）。ＲＲＣ接続リリース手順の間に、ＬＴＥ基地局４２は、移動体端末１００にパーシステンスパラメータ等の輻輳情報を送る場合がある。ＬＴＥ基地局４２はさらに、コンテクストリリースとベアラアップデートをトリガーする（ｊ）。コンテクストリリースとベアラアップデート手順の間に、ｃｄｍａ２０００ネットワーク１２は、ＭＭＥ５６及び／又はＬＴＥ基地局４２に輻輳表示及び／又は他の輻輳情報を送る場合がある。
【００３０】
移動体端末１００は、ｃｄｍａ２０００ネットワーク１２にハンドオーバし、ページ応答をＭＳＣ３２に送る（ｋ）。ページ応答は、ｃｄｍａ２０００基地局２２に送信され、ｃｄｍａ２０００基地局２２によりＭＳＣ３２に転送される。移動体端末１００は次に、３ＧＰＰ２  Ａ．Ｓ００１３に規定されるようなモバイル受信呼確立用の手順を行う。
【００３１】
一実施態様によるモバイル発信呼用のサーキットスイッチフォールバック手順の例を図６に示す。本実施態様において、移動体端末１００は、ＬＴＥネットワーク１４に接続し、ｃｄｍａ２０００ネットワーク１２に登録する（ａ）。移動体端末１００がＬＴＥ基地局４２からパーシステンスパラメータを以前に受け取っている場合には、移動体端末１００はｃｄｍａ２０００ネットワーク１２にアクセスする前にランダムチェックを行う（ｂ）。この工程は、移動体端末１００がパーシステンスパラメータを供給されていない場合にはスキップされる場合がある。移動体端末１００がランダムチェックに基づいて呼を行うと判断した場合、移動体端末１００は、ＭＭＥ５６に拡張サービス要求を送る（ｃ）。ＭＭＥ５６は、ＵＥコンテクスト変更をサーキットスイッチフォールバック表示と共にＬＴＥ基地局４２に送り、ＬＴＥ基地局４２に対して、移動体端末１００をｃｄｍａ２０００ネットワーク１２にハンドオーバするように指示する（ｄ）。ＬＴＥ基地局４２は、ＥＵＴＲＡ作成要求メッセージから移動体端末１００へのハンドオーバを送り、フォールバック手順を開始する（ｅ）。ハンドオーバ作成要求メッセージには、３Ｇ１ｘオーバヘッドパラメータ及びＲＡＮＤ値が含まれる。ハンドオーバ作成要求メッセージにはさらに、輻輳表示及び／又はパーシステンスパラメータ等の輻輳情報が含まれる場合がある。移動体端末１００は次に、メモリ内に記憶されている輻輳情報を更新する。
【００３２】
移動体端末１００は、ＬＴＥ基地局４２にハンドオーバ作成転送メッセージを送ることにより、ハンドオーバ作成要求メッセージに応答する（ｆ）。ハンドオーバ作成転送メッセージは、呼び出された側の番号と共に１ｘＲＴＴ発信メッセージを備える。信号メッセージは、従来のインターワーキング手順を用いて、ＬＴＥ基地局４２とＭＳＣ３２との間で転送される（ｇ）。ＬＴＥ基地局４２は次に、移動体端末１００にハンドオーバコマンドを送って、移動体端末１００にハンドオーバを指示する（ｈ）。ＬＴＥ基地局４２はさらに、コンテクストリリース（ｉ）とベアラアップデート（ｊ）とをトリガーする。移動体端末１００は、ｃｄｍａ２０００ネットワーク１２にハンドオーバし、モバイル発信呼を確立するための標準的な３ＧＰＰ２手順を継続する（ｋ）。
【００３３】
当然のことながら、本発明は、その範囲及び本質的な特性から逸脱することなく本明細書で述べた以外の他の具体的な方法により実行される場合がある。従って、本実施例は、すべての点において例示的であってこれに制限されるものではなく、添付の請求の範囲の意味およびその均等物の範囲内のすべての変更は本発明に包含されると解釈されたい。
【図１】
2013517655.tif 000003
【図２】
2013517655.tif 000004
【図３】
2013517655.tif 000005
【図４】
2013517655.tif 000006
【図５】
2013517655.tif 000007
【図６】
2013517655.tif 000008
【国際調査報告】
2013517655.tif 000009
2013517655.tif 000010
2013517655.tif 000011
2013517655.tif 000012
2013517655.tif 000013